(57)【要約】      （修正有）【課題】信頼性を高め得る媒体処理装置を提供する。【解決手段】現金自動取引装置は、紙幣を搬送部２４に繰り出すと共に、当該搬送部２４から搬送された紙幣を集積する紙幣入出金部１６と、搬送部２４上に設けられ、紙幣に付された識別字としての記番号を識別する鑑別部１８と、鑑別部１８における紙幣の記番号の識別の可否によって当該紙幣の搬送先を変更する制御部１２とを設けるようにした。これにより記番号を識別できなかった識別不可紙幣を、識別できた識別可能紙幣とは分別する。【選択図】図３
2014197273.tif 000002
【特許請求の範囲】
【請求項１】
収容された媒体を搬送部に繰り出すと共に、当該搬送部から搬送された上記媒体を集積する媒体収容部と、
上記搬送部上に設けられ、上記媒体に付された識別字を識別する鑑別部と、
上記鑑別部における上記媒体の上記識別字の識別の可否によって当該媒体の搬送先を変更する制御部と
を有する媒体処理装置。
【請求項２】
上記鑑別部は、複数の字から構成された上記識別字のうち、識別できなかった字数が所定の閾値以上であった場合、当該識別字を識別不可であると判別する
請求項１に記載の媒体処理装置。
【請求項３】
上記識別字は、複数の文字からなる文字部と、複数の数字とからなる数字部とにより構成され、
上記鑑別部は、上記文字部の文字のうち、識別できなかった文字数が所定の閾値以上であった場合か、又は上記数字部の数字のうち、識別できなかった数字数が所定の閾値以上であった場合、当該識別字を識別不可であると判別する
請求項２に記載の媒体処理装置。
【請求項４】
上記制御部は、上記鑑別部における識別結果により上記媒体が入金不可媒体と判別した場合、当該媒体を上記媒体収容部へ搬送し利用者へ返却する
請求項２に記載の媒体処理装置。
【請求項５】
上記媒体を格納する収納庫と、
流通させない上記媒体を上記収納庫とは分別して格納する入金庫と、
をさらに有し、
上記制御部は、上記鑑別部における識別結果により上記媒体が収納可能媒体と判別した場合、当該媒体を上記収納庫へ搬送する一方、上記媒体が収納不可媒体と判別した場合、当該媒体を上記入金庫へ搬送する
請求項２に記載の媒体処理装置。
【請求項６】
上記制御部は、上記鑑別部における識別結果により上記媒体が出金不可媒体と判別した場合、当該媒体を上記媒体収容部へ搬送せずに上記媒体処理装置内に留める
請求項２に記載の媒体処理装置。
【請求項７】
上記制御部は、上記出金不可媒体と判別した上記媒体を上記媒体収容部へ搬送せず、上記媒体を一時的に保持する一時保留部へ搬送する
請求項６に記載の媒体処理装置。
【請求項８】
上記制御部は、上記一時保留部へ搬送した上記媒体を入金庫へ搬送する
請求項７に記載の媒体処理装置。
【請求項９】
上記鑑別部は、上記媒体処理装置へ上記媒体を入金する入金処理時及び上記媒体処理装置から上記媒体を出金する出金処理時における上記閾値を、上記媒体処理装置へ上記媒体を収納する収納処理時における上記閾値よりも低くする
請求項２に記載の媒体処理装置。
【請求項１０】
上記鑑別部は、上記媒体処理装置へ上記媒体を入金する入金処理時における上記閾値を、上記媒体処理装置から上記媒体を出金する出金処理時における上記閾値よりも低くする
請求項２に記載の媒体処理装置。
【請求項１１】
上記鑑別部は、上記媒体が正常であるか異常であるかを鑑別し、
上記制御部は、上記鑑別部において正常と鑑別され且つ上記識別字が識別可能であった媒体と、上記鑑別部において異常と鑑別されたか又は上記識別字が識別不可であった媒体とを異なる搬送先へ搬送させる
請求項２に記載の媒体処理装置。
【請求項１２】
上記媒体の上記識別字の識別の可否によって当該媒体の搬送先を変更する機能を有効にするか否かの設定を受け付ける入力部
をさらに有し、
上記制御部は、上記入力部において上記機能を有効にすると設定されている場合、上記媒体の上記識別字の識別の可否によって当該媒体の搬送先を変更する
請求項２に記載の媒体処理装置。
【請求項１３】
上記閾値の入力を受け付ける入力部
をさらに有し、
上記鑑別部は、上記識別字のうち識別できなかった字数が、上記入力部を介し設定された上記閾値以上であった場合、当該識別字を識別不可であると判別する
請求項２に記載の媒体処理装置。
【請求項１４】
媒体に関する取引を受け付ける接客部と、
収容された媒体を搬送部に繰り出すと共に、当該搬送部から搬送された上記媒体を集積する媒体収容部と、
上記搬送部上に設けられ、上記媒体に付された識別字を識別する鑑別部と、
上記鑑別部における上記媒体の上記識別字の識別の可否によって当該媒体の搬送先を変更する制御部と
を有する媒体取引装置。
【発明の詳細な説明】
【技術分野】
【０００１】
本発明は媒体処理装置及び媒体取引装置に関し、例えば紙幣等の媒体を投入して所望の取引を行う現金自動取引装置（ＡＴＭ）等に適用して好適なものである。
【背景技術】
【０００２】
従来、金融機関や店舗等で使用される現金自動取引装置等においては、顧客との取引内容に応じて、例えば顧客に紙幣や硬貨等の現金を入金させ、また顧客へ現金を出金するようになされている。
【０００３】
現金自動取引装置としては、例えば顧客との間で紙幣の授受を行う紙幣入出金部と、投入された紙幣の金種及び真偽を鑑別すると共に紙幣の記番号を識別する鑑別部と、投入された紙幣を一時的に保留する一時保留部と、紙幣を搬送する搬送部と、金種毎に紙幣を格納するリサイクル庫とを有するものがある。（例えば、特許文献１参照）。
【先行技術文献】
【特許文献】
【０００４】
【特許文献１】特開２０１１−２９２１号公報
【発明の概要】
【発明が解決しようとする課題】
【０００５】
ところで紙幣には、流通過程で汚れや痛み、折れ、破れ等が発生するため、記番号が付された部分にこれらの汚れや痛み等があった場合、鑑別部で記番号を識別する際に文字又は数字を特定できない場合がある。
【０００６】
その場合、現金自動取引装置は、特定できなかった不定な文字又は数字を、例えば「Ａ？Ｃ１２？４５６７」のように、不定を示す字（例えば「？」）で記録する。
【０００７】
この不定な文字又は数字が多い場合、紙幣の特定ができなくなったり、予め登録された記番号が付された紙幣を検出する際に検出精度が低下してしまったりして、信頼性が低下してしまうおそれがあった。
【０００８】
本発明は以上の点を考慮してなされたもので、信頼性を高め得る媒体処理装置及び媒体取引装置を提案しようとするものである。
【課題を解決するための手段】
【０００９】
かかる課題を解決するため本発明の媒体処理装置においては、収容された媒体を搬送部に繰り出すと共に、当該搬送部から搬送された媒体を集積する媒体収容部と、搬送部上に設けられ、媒体に付された識別字を識別する鑑別部と、鑑別部における媒体の識別字の識別の可否によって当該媒体の搬送先を変更する制御部とを設けるようにした。
【００１０】
この媒体処理装置は、識別字の識別の可否によって媒体の搬送先を変更し、識別字を識別できなかった識別不可媒体を、識別できた識別可能媒体とは分別することにより、入金処理時においては識別不可媒体を利用者へ返却して媒体処理装置内部へ取り込むことを防ぎ、収納処理時においては識別不可媒体を識別可能媒体とは分別して収納して流通を防ぎ、出金処理時においては識別不可媒体を利用者へ出金せずに流通を防ぐことができる。
【００１１】
また本発明の媒体取引装置においては、媒体に関する取引を受け付ける接客部と、収容された媒体を搬送部に繰り出すと共に、当該搬送部から搬送された媒体を集積する媒体収容部と、搬送部上に設けられ、媒体に付された識別字を識別する鑑別部と、鑑別部における媒体の識別字の識別の可否によって当該媒体の搬送先を変更する制御部とを設けるようにした。
【００１２】
この媒体取引装置は、識別字の識別の可否によって媒体の搬送先を変更し、識別字を識別できなかった識別不可媒体を、識別できた識別可能媒体とは分別することにより、入金処理時においては識別不可媒体を利用者へ返却して媒体処理装置内部へ取り込むことを防ぎ、収納処理時においては識別不可媒体を識別可能媒体とは分別して収納して流通を防ぎ、出金処理時においては識別不可媒体を利用者へ出金せずに流通を防ぐことができる。
【発明の効果】
【００１３】
本発明によれば、識別字の識別の可否によって媒体の搬送先を変更し、識別字を識別できなかった識別不可媒体を、識別できた識別可能媒体とは分別することにより、入金処理時においては識別不可媒体を利用者へ返却して媒体処理装置内部へ取り込むことを防ぎ、収納処理時においては識別不可媒体を識別可能媒体とは分別して収納して流通を防ぎ、出金処理時においては識別不可媒体を利用者へ出金せずに流通を防ぐことができる。かくして本発明は、信頼性を高め得る媒体処理装置及び媒体取引装置を実現できる。
【図面の簡単な説明】
【００１４】
【図１】現金自動取引装置の構成を示す斜視図である。
【図２】紙幣入出金機の構成を示す左側面図である。
【図３】現金自動取引装置の制御構成を示すブロック図である。
【図４】紙幣の構成を示す略線図である。
【図５】記番号の構成を示す略線図である。
【図６】第１の実施の形態による入金設定処理手順を示すフローチャートである。
【図７】第１の実施の形態による入金処理手順を示すフローチャートである。
【図８】第１の実施の形態による収納設定処理手順を示すフローチャートである。
【図９】第１の実施の形態による収納処理手順を示すフローチャートである。
【図１０】第１の実施の形態による出金設定処理手順を示すフローチャートである。
【図１１】第１の実施の形態による出金処理手順を示すフローチャートである。
【図１２】入金処理における紙幣の経路を示す略線図である。
【図１３】収納処理における紙幣の経路を示す略線図である。
【図１４】出金処理における紙幣の経路を示す略線図である。
【図１５】第２の実施の形態による入金設定処理手順を示すフローチャートである。
【図１６】第２の実施の形態による入金処理手順を示すフローチャートである。
【図１７】第２の実施の形態による収納設定処理手順を示すフローチャートである。
【図１８】第２の実施の形態による収納処理手順を示すフローチャートである。
【図１９】第２の実施の形態による出金設定処理手順を示すフローチャートである。
【図２０】第２の実施の形態による出金処理手順を示すフローチャートである。
【発明を実施するための形態】
【００１５】
以下、発明を実施するための形態（以下実施の形態とする）について、図面を用いて説明する。
【００１６】
［１．第１の実施の形態］
［１−１．現金自動取引装置の構成］
図１に外観を示すように、現金自動取引装置１は、箱状の筐体２を中心に構成されており、例えば金融機関等に設置され、顧客との間で入金取引や出金取引等の現金に関する取引を行うようになされている。
【００１７】
筐体２は、その前側に顧客が対峙した状態で紙幣の投入やタッチパネルによる操作等をしやすい箇所、すなわち前面の上部から上面に渡る部分が斜めに切り落とされたような形状となっており、この部分に接客部３が設けられている。
【００１８】
接客部３は、カード入出口４、入出金口５、操作表示部６、テンキー７及びレシート発行口８が設けられており、顧客との間で現金や通帳等を直接やり取りすると共に、取引に関する情報の通知や操作指示の受付を行うようになされている。
【００１９】
カード入出口４は、キャッシュカード等の各種カードが挿入又は排出される部分である。カード入出口４の奥側には、各種カードに磁気記録された口座番号等の読み取りを行うカード処理部（図示せず）が設けられている。
【００２０】
入出金口５は、顧客が入金する紙幣が投入されると共に、顧客へ出金する紙幣が排出される部分である。また入出金口５は、シャッタを駆動することにより開放又は閉塞するようになされている。
【００２１】
操作表示部６は、取引に際して操作画面を表示するＬＣＤ（Liquid Crystal Display）と、取引の種類の選択、暗証番号や取引金額等を入力するタッチパネルとが一体化されている。
【００２２】
この操作表示部６は、記番号の識別結果に基づき紙幣の搬送先を変更する識別結果搬送先設定機能を有効とするか否かの設定や、当該識別結果搬送先設定機能における判定処理の際に用いられる各種閾値等の入力を係員から受け付ける。
【００２３】
テンキー７は、「０」〜「９」の数字等の入力を受け付ける物理キーであり、暗証番号や取引金額等の入力操作時に用いられる。
【００２４】
レシート発行口８は、取引処理の終了時に取引内容等を印字したレシートを発行する部分である。因みにレシート発行口８の奥側には、レシートに取引内容等を印字するレシート処理部（図示せず）が設けられている。
【００２５】
筐体２内には、現金自動取引装置１全体を統括制御する主制御部９や、紙幣に関する種々の処理を行う紙幣入出金機１０等が設けられている。
【００２６】
以下では、現金自動取引装置１のうち利用者が対峙する側を前側とし、その反対を後側とし、当該前側に対峙した利用者から見て左及び右をそれぞれ左側及び右側とし、さらに上側及び下側を定義して説明する。
【００２７】
［１−２．紙幣入出金機の内部構成］
紙幣入出金機１０は、図３に示すように、制御部１２が各部（入金庫２８、リサイクル庫２６、紙幣入出金部１６、鑑別部１８、搬送部２４、一時保留部２０及びセレクタ２２）を統轄制御する。
【００２８】
制御部１２は、図示しないＣＰＵ（Central Processing Unit）を中心に構成されており、ＲＯＭ（Read Only Memory）、ＲＡＭ（Random Access Memory）、ハードディスクドライブやフラッシュメモリ等でなる記憶部１４から主制御部９を介し所定のプログラムを読み出して実行することにより、各部を制御して入金取引、収納処理や出金取引等の種々の処理を行う。
【００２９】
記憶部１４は、鑑別部１８が紙幣を鑑別した鑑別結果及び紙幣の記番号の識別結果等を取引情報と合わせて記憶すると共に、係員により入力された各種閾値等を記憶する。
【００３０】
紙幣入出金機１０の内部には、図２に示すように上側に紙幣入出金部１６、紙幣の金種や真偽を判定すると共に紙幣に付された記番号を読み取り識別する鑑別部１８及び入金紙幣等を一時的に保留する一時保留部２０が設けられている。
【００３１】
搬送部２４は、図示しないローラやベルト等により、図中太線で示す搬送路に沿って長方形の紙幣を短辺方向に搬送するようになされている。搬送部２４は、鑑別部１８を前後方向に挿通させるように紙幣を搬送し、当該鑑別部１８の後側と一時保留部２０及び紙幣入出金部１６とをそれぞれ接続している。また搬送部２４は、鑑別部１８の前側と紙幣入出金部１６、リサイクル庫２６及び入金庫２８とを接続している。
【００３２】
搬送部２４の分岐点には、セレクタ２２が設けられており、制御部１２の制御に基づき回動することにより、紙幣の搬送先を切り替える。
【００３３】
鑑別部１８は、その内部で紙幣を搬送しながら、光学素子や磁気検出素子等を用いて当該紙幣の金種及び真偽、並びに損傷の程度等（正損）を鑑別し、その鑑別結果を制御部１２へ通知する。
【００３４】
また鑑別部１８は、撮像した紙幣の画像データから、図４に示すように紙幣毎に付与されその紙幣の一面に予め印刷された英数字等で構成された紙幣識別情報である記番号ＩＤを読み取り識別する。このとき鑑別部１８は、記番号ＩＤの全字数のうち、汚れ等により識別できなかった記番号の字数である不定字数Ｃｕを計数し、識別した字と計数結果とを識別結果として制御部１２へ通知する。これに応じて制御部１２は、取得した識別結果に基づいて当該紙幣の搬送先を決定する。
【００３５】
一時保留部２０は、入金時に利用者が紙幣入出金部１６へ投入した紙幣を一時的に保留し、鑑別部１８で入金可能と鑑別された入金可能紙幣を入金が確定するまで一時的に保留する一方、入金不可と鑑別された入金不可紙幣を、所謂後入れ先出しで紙幣入出金部１６へ排出する。
【００３６】
また一時保留部２０は、出金時において鑑別部１８で出金不可能と鑑別された出金不可紙幣を、出金可能な紙幣が出金されるまで一時的に保留し、その後当該出金不可紙幣を入金庫２８へ排出する。
【００３７】
紙幣入出金機１０（図２）の内部には、下側に金種別のリサイクル庫２６と、鑑別部１８において例えば破損した紙幣と鑑別され鑑別結果が異常であった紙幣、５千券や２千券等の還流されない金種の紙幣、並びに鑑別部１８において記番号を読み取った際に計数された不定字数Ｃｕが所定の不定字数閾値Ｃｔ以上であったために識別結果が異常であった紙幣を格納する入金庫２８とが設けられている。
【００３８】
リサイクル庫２６は、収納排出機構により、搬送部２４から搬送されてきた紙幣を取り込んで収納すると共に、収納されている紙幣を排出して搬送部２４へ供給するようになされている。
【００３９】
図５に示すように、記番号ＩＤは、例えば左側に配置されＡ〜Ｚのアルファベット等の文字が３字並べられて構成される文字部ＬＥＴと、当該文字部ＬＥＴの右側に配置され０〜９の数字が７字並べられて構成される数字部ＮＵＭとにより構成されている。因みに、国によっては、この文字部ＬＥＴには数字が混在している場合もある。
【００４０】
この記番号は、紙幣が現金自動取引装置１内部でジャムした場合や、顧客が取り忘れた紙幣を現金自動取引装置１が取り込んだ場合等、紙幣の特定が必要な際に、保存された記番号識別結果から紙幣を特定し、顧客へ証拠情報として提示するに用いられる。
【００４１】
また記番号は、現金自動取引装置１において偽札が発見された場合、偽札の記番号と、保存された記番号識別結果及び取引情報を照合し、現金自動取引装置１へ入金された経緯を特定したり、顧客が入金した紙幣の場合、顧客へ証拠情報として提示したりする際に用いられる。
【００４２】
さらに記番号は、大量に流通している偽札があり、それらの偽札の記番号が特定されている場合、予めそれらの記番号を鑑別部１８に登録し、ある一定数以上の字数が一致した紙幣が入金された場合にその紙幣を偽札として検出する際にも用いられる。
【００４３】
鑑別部１８は、特定できなかった不定な文字又は数字を、例えば「Ａ？Ｃ１２？４５６７」のように、不定を示す字（例えば「？」）で記録する。この場合、２字が識別できなかったため、不定字数Ｃｕは２となる。
【００４４】
かかる構成において現金自動取引装置１は、鑑別部１８による紙幣の鑑別結果及び識別結果等をもとに主制御部９及び制御部１２が各部を制御して、紙幣の入金処理、収納処理及び出金処理を行う。
【００４５】
すなわち現金自動取引装置１は、入金取引時、利用者により操作表示部６を介して入金取引が選択され、さらに入出金口５に紙幣が投入されると、投入された紙幣を紙幣入出金部１６から１枚ずつ鑑別部１８に搬送する。
【００４６】
ここで現金自動取引装置１は、鑑別部１８の鑑別結果及び識別結果に基づき入金可能紙幣と判定された紙幣については一時保留部２０に搬送して一時的に収納する。一方で現金自動取引装置１は、入金に適さない入金不可紙幣と判定された紙幣については紙幣入出金部１６へ戻して、シャッタを開くことで利用者に返却する。
【００４７】
その後利用者により入金金額が確定されると、現金自動取引装置１は収納処理を実施する。すなわち現金自動取引装置１は、一時保留部２０に収納している紙幣を鑑別部１８に搬送して鑑別結果及び記番号の識別結果を得る。
【００４８】
ここで現金自動取引装置１は、鑑別部１８の鑑別結果及び識別結果に基づき収納可能紙幣と判定された紙幣については、その金種に応じて各リサイクル庫２６へ搬送して保管する。一方で現金自動取引装置１は、収納に適さない収納不可紙幣と判定された紙幣については、入金庫２８へ搬送することにより、収納可能紙幣とは分別して保管する。
【００４９】
一方出金取引時、現金自動取引装置１は、利用者により操作表示部６を介して出金取引が選択され出金金額が入力されると、要求金額に応じて必要な金種毎の紙幣枚数を認識し、この金種毎の紙幣枚数に応じて各リサイクル庫２６から紙幣を繰り出して、鑑別部１８に搬送して鑑別結果及び記番号の識別結果を得る。
【００５０】
ここで現金自動取引装置１は、鑑別部１８の鑑別結果及び識別結果に基づき出金可能紙幣と判定された紙幣については紙幣入出金部１６に搬送する。一方で現金自動取引装置１は、出金に適さない出金不可紙幣と判定された紙幣については一時保留部２０に搬送して一時的に収納する。
【００５１】
そして要求金額分の紙幣が紙幣入出金部１６へ集積されると、現金自動取引装置１は、シャッタを開ける。これにより紙幣入出金部１６内に集積されている紙幣の受け取りが可能な状態となり、利用者がこの紙幣を受け取る。
【００５２】
その後現金自動取引装置１は、一時保留部２０に収納している出金不可紙幣を入金庫２８へと搬送して保管する。
【００５３】
このように現金自動取引装置１は、紙幣の入金処理、収納処理及び出金処理を行うようになされている。
【００５４】
［１−３．入金処理］
次に、現金自動取引装置１による入金処理の具体的な処理手順について、図６及び図７に示すフローチャートを用いて詳細に説明する。
【００５５】
紙幣入出金機１０の制御部１２は、利用者が紙幣を入金する入金取引を行う前に、記憶部１４から入金設定処理プログラムを読み出して実行することにより入金設定処理手順ＲＴ１を開始し、ステップＳＰ１へ移る。
【００５６】
ステップＳＰ１において制御部１２は、操作表示部６を介して識別結果搬送先設定機能を有効にするか否かの選択を係員から受け付け、当該識別結果搬送先設定機能の有効又は無効を設定し、ステップＳＰ２へ移る。
【００５７】
ステップＳＰ２において制御部１２は、識別結果搬送先設定機能が有効に設定されていた場合、操作表示部６を介して不定字数閾値Ｃｔの入力を係員から受け付けて当該不定字数閾値Ｃｔを設定し、ステップＳＰ３へ移り入金設定処理手順ＲＴ１を終了する。
【００５８】
ここで不定字数閾値Ｃｔは、記番号の全文字数（すなわち全桁数）に対する、鑑別部１８において識別できなかった字数である不定字数Ｃｕの閾値を示しており、例えば３字が設定される。この不定字数閾値Ｃｔは、操作表示部６から主制御部９へ通知され、当該主制御部９から制御部１２を介し鑑別部１８へ通知される。
【００５９】
続いて紙幣入出金機１０の制御部１２は、利用者が入金取引を行う場合、記憶部１４から入金処理プログラムを読み出して実行することにより図７に示す入金処理手順ＲＴ２を開始し、ステップＳＰ４へ移る。
【００６０】
ステップＳＰ４において制御部１２は、入出金口５のシャッタを開いて紙幣入出金部１６内へ紙幣を投入させ、当該紙幣を鑑別部１８へ搬送することにより鑑別させて鑑別結果を取得し、ステップＳＰ５へ移る。
【００６１】
ステップＳＰ５において制御部１２は、鑑別部１８において紙幣の記番号を識別させて不定字数Ｃｕを含む識別結果を取得し、ステップＳＰ６へ移る。
【００６２】
ステップＳＰ６において制御部１２は、鑑別結果が正常であるか否かを判定する。ここで肯定結果が得られると、このことは鑑別結果が正常であったため次の不定字数判定に進むことを表し、このとき制御部１２はステップＳＰ７へ移る。
【００６３】
ステップＳＰ７において制御部１２は、識別結果搬送先設定機能が有効に設定されているか否かを判定する。ここで肯定結果が得られると、識別結果搬送先設定機能が有効にされているため、このとき制御部１２はステップＳＰ８へ移る。
【００６４】
一方ステップＳＰ７において否定結果が得られると、このことは識別結果搬送先設定機能が無効に設定されているため鑑別結果のみに基づいて紙幣が入金可能か否かを判定することを表し、このとき制御部１２はステップＳＰ９へ移る。
【００６５】
ステップＳＰ８において制御部１２は、不定字数Ｃｕが不定字数閾値Ｃｔ未満であるか否かを判定する。
【００６６】
ステップＳＰ８において肯定結果が得られると、このことは紙幣が入金可能紙幣であることを表し、このとき制御部１２はステップＳＰ９へ移る。
【００６７】
一方ステップＳＰ６又はＳＰ８において否定結果が得られると、このことは紙幣が入金不可紙幣であったことを表し、このとき制御部１２はステップＳＰ１０へ移る。
【００６８】
ステップＳＰ９において制御部１２は、図１２に示すようにセレクタ２２をルートＲ１へ切り替え、紙幣を鑑別部１８から一時保留部２０へ搬送してステップＳＰ１１へ移り、入金処理手順ＲＴ２を終了する。なお図１２、図１３及び図１４においては、紙幣入出金機１０内部を簡略化して図示している。
【００６９】
一方ステップＳＰ１０において制御部１２は、図１２に示すようにセレクタ２２をルートＲ２へ切り替え、紙幣を鑑別部１８から紙幣入出金部１６へ搬送してステップＳＰ１１へ移り、入金処理手順ＲＴ２を終了する。
【００７０】
このように紙幣入出金機１０は、入金された紙幣の鑑別結果が正常であったとき、識別結果における不定字数Ｃｕが不定字数閾値Ｃｔ未満であった場合は記番号が識別可能な紙幣とする一方、不定字数Ｃｕが不定字数閾値Ｃｔ以上であった場合は記番号が識別不可な紙幣とする。
【００７１】
このとき紙幣入出金機１０は、記番号の識別の可否に基づいて紙幣の搬送先を変更し、記番号が識別可能であった紙幣を入金可能紙幣として一時保留部２０へ搬送する一方、記番号が識別不可であった紙幣を入金不可紙幣として紙幣入出金部１６へ搬送して利用者へ返却する。
【００７２】
［１−４．収納処理］
次に、現金自動取引装置１による収納処理の具体的な処理手順について、図８及び図９に示すフローチャートを用いて詳細に説明する。
【００７３】
紙幣入出金機１０の制御部１２は、利用者により入金された紙幣を収納する収納処理を行う前に、記憶部１４から収納設定処理プログラムを読み出して実行することにより収納設定処理手順ＲＴ３を開始し、ステップＳＰ２１へ移る。
【００７４】
ステップＳＰ２１において制御部１２は、操作表示部６を介して識別結果搬送先設定機能を有効にするか否かの選択を係員から受け付け、当該識別結果搬送先設定機能の有効又は無効を設定し、ステップＳＰ２２へ移る。
【００７５】
ステップＳＰ２２において制御部１２は、識別結果搬送先設定機能が有効に設定されていた場合、操作表示部６を介して不定字数閾値Ｃｔの入力を係員から受け付けて当該不定字数閾値Ｃｔを設定し、ステップＳＰ２３へ移り収納設定処理手順ＲＴ３を終了する。
【００７６】
続いて紙幣入出金機１０の制御部１２は、収納処理を行う場合、記憶部１４から収納処理プログラムを読み出して実行することにより図９に示す収納処理手順ＲＴ４を開始し、ステップＳＰ２４へ移る。
【００７７】
ステップＳＰ２４において制御部１２は、入金処理において一時保留部２０に保持した紙幣を鑑別部１８へ搬送することにより鑑別させて鑑別結果を取得し、ステップＳＰ２５へ移る。
【００７８】
ステップＳＰ２５において制御部１２は、鑑別部１８において紙幣の記番号を識別させて不定字数Ｃｕを含む識別結果を取得し、ステップＳＰ２６へ移る。
【００７９】
ステップＳＰ２６において制御部１２は、鑑別結果が正常であるか否かを判定する。ここで肯定結果が得られると、このことは鑑別結果が正常であったため次の不定字数判定に進むことを表し、このとき制御部１２はステップＳＰ２７へ移る。
【００８０】
ステップＳＰ２７において制御部１２は、識別結果搬送先設定機能が有効に設定されているか否かを判定する。ここで肯定結果が得られると、識別結果搬送先設定機能が有効にされているため、このとき制御部１２はステップＳＰ２８へ移る。
【００８１】
一方ステップＳＰ２７において否定結果が得られると、このことは識別結果搬送先設定機能が無効に設定されているため鑑別結果のみに基づいて紙幣が収納可能か否かを判定することを表し、このとき制御部１２はステップＳＰ２９へ移る。
【００８２】
ステップＳＰ２８において制御部１２は、不定字数Ｃｕが不定字数閾値Ｃｔ未満であるか否かを判定する。
【００８３】
ステップＳＰ２８において肯定結果が得られると、このことは紙幣が収納可能紙幣であることを表し、このとき制御部１２はステップＳＰ２９へ移る。
【００８４】
一方ステップＳＰ２６又はＳＰ２８において否定結果が得られると、このことは紙幣が収納不可紙幣であったことを表し、このとき制御部１２はステップＳＰ３０へ移る。
【００８５】
ステップＳＰ２９において制御部１２は、図１３に示すようにセレクタ２２をルートＲ３へ切り替え、紙幣を鑑別部１８から各リサイクル庫２６へ搬送してステップＳＰ３１へ移り、収納処理手順ＲＴ４を終了する。
【００８６】
一方ステップＳＰ３０において制御部１２は、図１３に示すようにセレクタ２２をルートＲ４へ切り替え、紙幣を鑑別部１８から入金庫２８へ搬送してステップＳＰ３１へ移り、収納処理手順ＲＴ４を終了する。
【００８７】
このように紙幣入出金機１０は、入金され一時保留部２０に保持された紙幣の鑑別結果が正常であったとき、識別結果における不定字数Ｃｕが不定字数閾値Ｃｔ未満であった場合は記番号が識別可能な紙幣とする一方、不定字数Ｃｕが不定字数閾値Ｃｔ以上であった場合は記番号が識別不可な紙幣とする。
【００８８】
このとき紙幣入出金機１０は、記番号の識別の可否に基づいて紙幣の搬送先を変更し、記番号が識別可能であった紙幣を収納可能紙幣としてリサイクル庫２６へ搬送する一方、記番号が識別不可であった紙幣を収納不可紙幣として入金庫２８へ搬送して収納可能紙幣とは分別して保管する。
【００８９】
［１−５．出金処理］
次に、現金自動取引装置１による出金処理の具体的な処理手順について、図１０及び図１１に示すフローチャートを用いて詳細に説明する。
【００９０】
紙幣入出金機１０の制御部１２は、利用者へ紙幣を出金する出金取引を行う前に、記憶部１４から出金設定処理プログラムを読み出して実行することにより出金設定処理手順ＲＴ５を開始し、ステップＳＰ４１へ移る。
【００９１】
ステップＳＰ４１において制御部１２は、操作表示部６を介して識別結果搬送先設定機能を有効にするか否かの選択を係員から受け付け、当該識別結果搬送先設定機能の有効又は無効を設定し、ステップＳＰ４２へ移る。
【００９２】
ステップＳＰ４２において制御部１２は、識別結果搬送先設定機能が有効に設定されていた場合、操作表示部６を介して不定字数閾値Ｃｔの入力を係員から受け付けて当該不定字数閾値Ｃｔを設定し、ステップＳＰ４３へ移り出金設定処理手順ＲＴ５を終了する。
【００９３】
続いて紙幣入出金機１０の制御部１２は、利用者が出金取引を行う場合、記憶部１４から出金処理プログラムを読み出して実行することにより図１１に示す出金処理手順ＲＴ６を開始し、ステップＳＰ４４へ移る。
【００９４】
ステップＳＰ４４において制御部１２は、リサイクル庫２６から紙幣を鑑別部１８へ搬送することにより鑑別させて鑑別結果を取得し、ステップＳＰ４５へ移る。
【００９５】
ステップＳＰ４５において制御部１２は、鑑別部１８において紙幣の記番号を識別させて不定字数Ｃｕを含む識別結果を取得し、ステップＳＰ４６へ移る。
【００９６】
ステップＳＰ４６において制御部１２は、鑑別結果が正常であるか否かを判定する。ここで肯定結果が得られると、このことは鑑別結果が正常であったため次の不定字数判定に進むことを表し、このとき制御部１２はステップＳＰ４７へ移る。
【００９７】
ステップＳＰ４７において制御部１２は、識別結果搬送先設定機能が有効に設定されているか否かを判定する。ここで肯定結果が得られると、識別結果搬送先設定機能が有効にされているため、このとき制御部１２はステップＳＰ４８へ移る。
【００９８】
一方ステップＳＰ４７において否定結果が得られると、このことは識別結果搬送先設定機能が無効に設定されているため鑑別結果のみに基づいて紙幣が出金可能か否かを判定することを表し、このとき制御部１２はステップＳＰ４９へ移る。
【００９９】
ステップＳＰ４８において制御部１２は、不定字数Ｃｕが不定字数閾値Ｃｔ未満であるか否かを判定する。
【０１００】
ステップＳＰ４８において肯定結果が得られると、このことは紙幣が出金可能紙幣であることを表し、このとき制御部１２はステップＳＰ４９へ移る。
【０１０１】
一方ステップＳＰ４６又はＳＰ４８において否定結果が得られると、このことは紙幣が出金不可紙幣であったことを表し、このとき制御部１２はステップＳＰ５０へ移る。
【０１０２】
ステップＳＰ４９において制御部１２は、図１４に示すようにセレクタ２２をルートＲ５へ切り替え、紙幣を鑑別部１８から紙幣入出金部１６へ搬送してステップＳＰ５１へ移り、出金処理手順ＲＴ６を終了する。
【０１０３】
一方ステップＳＰ５０において制御部１２は、図１４に示すようにセレクタ２２をルートＲ６へ切り替え、紙幣を鑑別部１８から一時保留部２０へ搬送してステップＳＰ５１へ移り、出金処理手順ＲＴ６を終了する。
【０１０４】
このように紙幣入出金機１０は、リサイクル庫２６に収納された紙幣の鑑別結果が正常であったとき、識別結果における不定字数Ｃｕが不定字数閾値Ｃｔ未満であった場合は記番号が識別可能な紙幣とする一方、不定字数Ｃｕが不定字数閾値Ｃｔ以上であった場合は記番号が識別不可な紙幣とする。
【０１０５】
このとき紙幣入出金機１０は、記番号の識別の可否に基づいて紙幣の搬送先を変更し、記番号が識別可能であった紙幣を出金可能紙幣として紙幣入出金部１６へ搬送して利用者へ受け渡す一方、記番号が識別不可であった紙幣を出金不可紙幣として一時保留部２０へ搬送する。
【０１０６】
［１−６．効果］
以上の構成において、現金自動取引装置１は、記番号の識別の可否に基づいて紙幣の搬送先を変更し、不定字数Ｃｕが不定字数閾値Ｃｔ未満であり記番号を識別できた識別可能紙幣と、不定字数Ｃｕが不定字数閾値Ｃｔ以上であり記番号を識別できなかった識別不可紙幣とを分別するようにした。
【０１０７】
従来の現金自動取引装置は、記番号において識別できない字が存在した場合、当該識別できない字は不定字（不定文字及び不定数字）であったとして記憶するだけに留めているだけであった。このため不定字が多い紙幣の場合、当該紙幣の記番号の識別精度が低下してしまうおそれがあった。
【０１０８】
これに対し本実施の形態における現金自動取引装置１は、不定字数Ｃｕが多い紙幣の場合、入金処理時においては、入金不可紙幣として利用者に返却することにより現金自動取引装置１内部には保管しないようにでき、収納処理時においては、収納不可紙幣として入金庫２８に収納することによりその後の流通を防止でき、出金処理時においては、出金不可紙幣として入金庫２８に収納することによりその後の流通を防止できる。
【０１０９】
また現金自動取引装置１は、記番号の不定字数Ｃｕが多い紙幣の場合、偽札の記番号との照合が困難であるとし、記番号の不定字数Ｃｕが少ない紙幣と分別することにより、偽札の検出精度を向上すると共に証拠情報としての信用性を向上させて信頼性を向上できる。
【０１１０】
また現金自動取引装置１は、予め鑑別部１８に登録された記番号が付された紙幣を検出する際に検出精度を向上させ、検出すべき紙幣を正確に検出することができる。
【０１１１】
また現金自動取引装置１は、不定字数Ｃｕを適宜変更することにより、要求される記番号識別結果の信頼性に応じて搬送先を切り替えることできる。
【０１１２】
さらに現金自動取引装置１は、係員の意思により不定字数閾値Ｃｔを設定できるようにしたことにより、使い勝手を向上できる。
【０１１３】
さらに現金自動取引装置１は、識別結果搬送先設定機能を有効とするか無効とするかを係員により設定できるようにした。
【０１１４】
これにより現金自動取引装置１は、鑑別結果のみに基づいて紙幣の搬送先を変更したいと係員が望んでいる場合、識別結果搬送先設定機能を無効とすることができ、ファームウェアやソフトウェアを変更することなく、識別結果搬送先設定機能を有効とするか無効とするかを切り替えることができる。
【０１１５】
以上の構成によれば、現金自動取引装置１は、収容された紙幣を搬送部２４に繰り出すと共に当該搬送部２４から搬送された紙幣を集積する紙幣入出金部１６と、搬送部２４上に設けられ、紙幣に付された識別字としての記番号を識別する鑑別部１８と、鑑別部１８における紙幣の記番号の識別の可否によって当該紙幣の搬送先を変更する制御部１２とを設けるようにした。
【０１１６】
これにより現金自動取引装置１は、記番号の識別の可否によって紙幣の搬送先を変更し、記番号を識別できなかった識別不可紙幣を、識別できた識別可能紙幣とは分別することにより、入金処理時においては識別不可紙幣を利用者へ返却して現金自動取引装置１内部へ取り込むことを防ぎ、収納処理時においては識別不可紙幣を識別可能紙幣とは分別して入金庫２８へ収納して流通を防ぎ、出金処理時においては識別不可紙幣を利用者へ出金せずに流通を防ぐことができる。
【０１１７】
［２．第２の実施の形態］
［２−１．現金自動取引装置の構成］
図１に示すように、第２の実施の形態による現金自動取引装置１０１は、第１の実施の形態による現金自動取引装置１と比べて、紙幣入出金機１１０が紙幣入出金機１０と異なっているものの、それ以外は同様に構成されている。
【０１１８】
図３に示すように、紙幣入出金機１１０は紙幣入出金機１０と比べて制御部１１２が制御部１２と異なっているものの、それ以外は同様に構成されている。
【０１１９】
図５に示したように、文字部ＬＥＴはアルファベットであればＡ〜Ｚの２６種類であり、数字部ＮＵＭは０〜９の１０種類であるため、識別すべき文字種は文字部ＬＥＴの方が数字部ＮＵＭよりも多い。また文字部ＬＥＴは数字との混在となる場合もあるため、文字部ＬＥＴと数字部ＮＵＭとでは求められる識別精度が異なる場合がある。また、記番号から紙幣を特定する場合、求められる信頼性が文字部ＬＥＴと数字部ＮＵＭとで異なる場合がある。
【０１２０】
このため第２の実施の形態による現金自動取引装置１０１は、文字部ＬＥＴと数字部ＮＵＭとで求められる識別精度が異なる場合に対応した入金処理、収納処理及び出金処理を行う。
【０１２１】
鑑別部１８は、記番号ＩＤの全字数のうち識別できなかった字数である不定字数Ｃｕと、文字部ＬＥＴの字数（すなわち文字部ＬＥＴの桁数）のうち識別できなかった字数である不定文字数Ｃｌｕと、数字部ＮＵＭの字数（すなわち数字部ＮＵＭの桁数）のうち識別できなかった字数である不定数字数Ｃｎｕとを計数し、計数結果を識別結果として制御部１１２へ通知する。
【０１２２】
［２−２．入金処理］
次に、現金自動取引装置１０１による入金処理の具体的な処理手順について、図１５及び図１６に示すフローチャートを用いて詳細に説明する。
【０１２３】
紙幣入出金機１１０の制御部１１２は、利用者が紙幣を入金する入金取引を行う前に、記憶部１４から入金設定処理プログラムを読み出して実行することにより入金設定処理手順ＲＴ７を開始し、ステップＳＰ６１へ移る。
【０１２４】
ステップＳＰ６１において制御部１１２は、操作表示部６を介して不定字数閾値Ｃｔ、不定文字数閾値Ｃｌｔ及び不定数字数閾値Ｃｎｔの入力を係員から受け付けて当該不定字数閾値Ｃｔ、不定文字数閾値Ｃｌｔ及び不定数字数閾値Ｃｎｔを設定し、ＳＰ６２へ移り入金設定処理手順ＲＴ７を終了する。
【０１２５】
ここで不定文字数閾値Ｃｌｔは、文字部ＬＥＴのうち鑑別部１８において識別できなかった字数である不定文字数Ｃｌｕの閾値を示しており、例えば１字が設定される。
【０１２６】
また不定数字数閾値Ｃｎｔは、数字部ＮＵＭのうち鑑別部１８において識別できなかった字数である不定数字数Ｃｎｕの閾値を示しており、例えば３字が設定される。
【０１２７】
この不定字数閾値Ｃｔ、不定文字数閾値Ｃｌｔ及び不定数字数閾値Ｃｎｔは、操作表示部６から主制御部９へ通知され、当該主制御部９から制御部１１２を介し鑑別部１８へ通知される。
【０１２８】
続いて紙幣入出金機１１０の制御部１１２は、利用者が入金取引を行う場合、記憶部１４から入金処理プログラムを読み出して実行することにより図１６に示す入金処理手順ＲＴ８を開始し、ステップＳＰ６３へ移る。
【０１２９】
ステップＳＰ６３において制御部１１２は、入出金口５のシャッタを開いて紙幣入出金部１６内へ紙幣を投入させ、当該紙幣を鑑別部１８へ搬送することにより鑑別させて鑑別結果を取得し、ステップＳＰ６４へ移る。
【０１３０】
ステップＳＰ６４において制御部１１２は、鑑別部１８において紙幣の記番号を識別させて不定字数Ｃｕ、不定文字数Ｃｌｕ及び不定数字数Ｃｎｕを含む識別結果を取得し、ステップＳＰ６５へ移る。
【０１３１】
ステップＳＰ６５において制御部１１２は、鑑別結果が正常であるか否かを判定する。ここで肯定結果が得られると、このことは鑑別結果が正常であったため次の不定字数判定に進むことを表し、このとき制御部１１２はステップＳＰ６６へ移る。
【０１３２】
ステップＳＰ６６において制御部１１２は、不定字数Ｃｕが不定字数閾値Ｃｔ未満であるか否かを判定する。ここで肯定結果が得られると、このことは不定字数判定が正常であったため次の不定文字数判定に進むことを表し、このとき制御部１１２はステップＳＰ６７へ移る。
【０１３３】
ステップＳＰ６７において制御部１１２は、不定文字数Ｃｌｕが不定文字数閾値Ｃｌｔ未満である否かを判定する。ここで肯定結果が得られると、このことは不定文字数判定が正常であったため次の不定数字数判定に進むことを表し、このとき制御部１１２はステップＳＰ６８へ移る。
【０１３４】
ステップＳＰ６８において制御部１１２は、不定数字数Ｃｎｕが不定数字数閾値Ｃｎｔ未満である否かを判定する。
【０１３５】
ステップＳＰ６８において肯定結果が得られると、このことは紙幣が入金可能紙幣であることを表し、このとき制御部１１２はステップＳＰ６９へ移る。
【０１３６】
一方ステップＳＰ６５、ＳＰ６６、ＳＰ６７又はＳＰ６８において否定結果が得られると、このことは紙幣が入金不可紙幣であったことを表し、このとき制御部１１２はステップＳＰ７０へ移る。
【０１３７】
ステップＳＰ６９において制御部１１２は、図１２に示すようにセレクタ２２をルートＲ１へ切り替え、紙幣を鑑別部１８から一時保留部２０へ搬送してステップＳＰ７１へ移り、入金処理手順ＲＴ８を終了する。
【０１３８】
一方ステップＳＰ７０において制御部１１２は、図１２に示すようにセレクタ２２をルートＲ２へ切り替え、紙幣を鑑別部１８から紙幣入出金部１６へ搬送してステップＳＰ７１へ移り、入金処理手順ＲＴ８を終了する。
【０１３９】
このように紙幣入出金機１１０は、入金された紙幣の鑑別結果が正常であったとき、識別結果における不定字数Ｃｕが不定字数閾値Ｃｔ未満であり、且つ不定文字数Ｃｌｕが不定文字数閾値Ｃｌｔ未満であり、且つ不定数字数Ｃｎｕが不定数字数閾値Ｃｎｔ未満であった場合は記番号が識別可能な紙幣とする。
【０１４０】
一方紙幣入出金機１１０は、入金された紙幣の鑑別結果が正常であっても、識別結果における不定字数Ｃｕが不定字数閾値Ｃｔ以上か、不定文字数Ｃｌｕが不定文字数閾値Ｃｌｔ以上か、不定数字数Ｃｎｕが不定数字数閾値Ｃｎｔ以上であった場合は記番号が識別不可な紙幣とする。
【０１４１】
このとき紙幣入出金機１１０は、記番号の識別の可否に基づいて紙幣の搬送先を変更し、記番号が識別可能であった紙幣を入金可能紙幣として一時保留部２０へ搬送する一方、記番号が識別不可であった紙幣を入金不可紙幣として紙幣入出金部１６へ搬送して利用者へ返却する。
【０１４２】
［２−３．収納処理］
次に、現金自動取引装置１０１による収納処理の具体的な処理手順について、図１７及び図１８に示すフローチャートを用いて詳細に説明する。
【０１４３】
紙幣入出金機１１０の制御部１１２は、利用者により入金された紙幣を収納する収納処理を行う前に、記憶部１４から収納設定処理プログラムを読み出して実行することにより収納設定処理手順ＲＴ９を開始し、ステップＳＰ８１へ移る。
【０１４４】
ステップＳＰ８１において制御部１１２は、操作表示部６を介して不定字数閾値Ｃｔ、不定文字数閾値Ｃｌｔ及び不定数字数閾値Ｃｎｔの入力を係員から受け付けて当該不定字数閾値Ｃｔ、不定文字数閾値Ｃｌｔ及び不定数字数閾値Ｃｎｔを設定し、ＳＰ８２へ移り収納設定処理手順ＲＴ９を終了する。
【０１４５】
続いて紙幣入出金機１１０の制御部１１２は、収納処理を行う場合、記憶部１４から収納処理プログラムを読み出して実行することにより図１８に示す収納処理手順ＲＴ１０を開始し、ステップＳＰ８３へ移る。
【０１４６】
ステップＳＰ８３において制御部１１２は、入金処理において一時保留部２０に保持した紙幣を鑑別部１８へ搬送することにより鑑別させて鑑別結果を取得し、ステップＳＰ８４へ移る。
【０１４７】
ステップＳＰ８４において制御部１１２は、鑑別部１８において紙幣の記番号を識別させて不定字数Ｃｕ、不定文字数Ｃｌｕ及び不定数字数Ｃｎｕを含む識別結果を取得し、ステップＳＰ８５へ移る。
【０１４８】
ステップＳＰ８５において制御部１１２は、鑑別結果が正常であるか否かを判定する。ここで肯定結果が得られると、このことは鑑別結果が正常であったため次の不定字数判定に進むことを表し、このとき制御部１１２はステップＳＰ８６へ移る。
【０１４９】
ステップＳＰ８６において制御部１１２は、不定字数Ｃｕが不定字数閾値Ｃｔ未満であるか否かを判定する。ここで肯定結果が得られると、このことは不定字数判定が正常であったため次の不定文字数判定に進むことを表し、このとき制御部１１２はステップＳＰ８７へ移る。
【０１５０】
ステップＳＰ８７において制御部１１２は、不定文字数Ｃｌｕが不定文字数閾値Ｃｌｔ未満である否かを判定する。ここで肯定結果が得られると、このことは不定文字数判定が正常であったため次の不定数字数判定に進むことを表し、このとき制御部１１２はステップＳＰ８８へ移る。
【０１５１】
ステップＳＰ８８において制御部１１２は、不定数字数Ｃｎｕが不定数字数閾値Ｃｎｔ未満である否かを判定する。
【０１５２】
ステップＳＰ８８において肯定結果が得られると、このことは紙幣が出金可能紙幣であることを表し、このとき制御部１１２はステップＳＰ８９へ移る。
【０１５３】
一方ステップＳＰ８５、ＳＰ８６、ＳＰ８７又はＳＰ８８において否定結果が得られると、このことは紙幣が収納不可紙幣であったことを表し、このとき制御部１１２はステップＳＰ９０へ移る。
【０１５４】
ステップＳＰ８９において制御部１１２は、図１３に示すようにセレクタ２２をルートＲ３へ切り替え、紙幣を鑑別部１８から各リサイクル庫２６へ搬送してステップＳＰ９１へ移り、収納処理手順ＲＴ１０を終了する。
【０１５５】
一方ステップＳＰ９０において制御部１１２は、図１３に示すようにセレクタ２２をルートＲ４へ切り替え、紙幣を鑑別部１８から入金庫２８へ搬送してステップＳＰ９１へ移り、収納処理手順ＲＴ１０を終了する。
【０１５６】
このように紙幣入出金機１１０は、入金され一時保留部２０に保持された紙幣の鑑別結果が正常であったとき、識別結果における不定字数Ｃｕが不定字数閾値Ｃｔ未満であり、且つ不定文字数Ｃｌｕが不定文字数閾値Ｃｌｔ未満であり、且つ不定数字数Ｃｎｕが不定数字数閾値Ｃｎｔ未満であった場合は記番号が識別可能な紙幣とする。
【０１５７】
一方紙幣入出金機１１０は、入金され一時保留部２０に保持された紙幣の鑑別結果が正常であっても、識別結果における不定字数Ｃｕが不定字数閾値Ｃｔ以上か、不定文字数Ｃｌｕが不定文字数閾値Ｃｌｔ以上か、不定数字数Ｃｎｕが不定数字数閾値Ｃｎｔ以上であった場合は記番号が識別不可な紙幣とする。
【０１５８】
このとき紙幣入出金機１１０は、記番号の識別の可否に基づいて紙幣の搬送先を変更し、記番号が識別可能であった紙幣を収納可能紙幣としてリサイクル庫２６へ搬送する一方、記番号が識別不可であった紙幣を収納不可紙幣として入金庫２８へ搬送して収納可能紙幣とは分別して保管する。
【０１５９】
［２−４．出金処理］
次に、現金自動取引装置１０１による出金処理の具体的な処理手順について、図１９及び図２０に示すフローチャートを用いて詳細に説明する。
【０１６０】
紙幣入出金機１１０の制御部１１２は、利用者へ紙幣を出金する出金取引を行う前に、記憶部１４から出金設定処理プログラムを読み出して実行することにより出金設定処理手順ＲＴ１１を開始し、ステップＳＰ１０１へ移る。
【０１６１】
ステップＳＰ１０１において制御部１１２は、操作表示部６を介して不定字数閾値Ｃｔ、不定文字数閾値Ｃｌｔ及び不定数字数閾値Ｃｎｔの入力を係員から受け付けて当該不定字数閾値Ｃｔ、不定文字数閾値Ｃｌｔ及び不定数字数閾値Ｃｎｔを設定し、ＳＰ１０２へり出金設定処理手順ＲＴ１１を終了する。
【０１６２】
続いて紙幣入出金機１１０の制御部１１２は、出金処理を行う場合、記憶部１４から出金処理プログラムを読み出して実行することにより図２０に示す出金処理手順ＲＴ１２を開始し、ステップＳＰ１０３へ移る。
【０１６３】
ステップＳＰ１０３において制御部１１２は、リサイクル庫２６から紙幣を鑑別部１８へ搬送することにより鑑別させて鑑別結果を取得し、ステップＳＰ１０４へ移る。
【０１６４】
ステップＳＰ１０４において制御部１１２は、鑑別部１８において紙幣の記番号を識別させて不定字数Ｃｕ、不定文字数Ｃｌｕ及び不定数字数Ｃｎｕを含む識別結果を取得し、ステップＳＰ１０５へ移る。
【０１６５】
ステップＳＰ１０５において制御部１１２は、鑑別結果が正常であるか否かを判定する。ここで肯定結果が得られると、このことは鑑別結果が正常であったため次の不定字数判定に進むことを表し、このとき制御部１１２はステップＳＰ１０６へ移る。
【０１６６】
ステップＳＰ１０６において制御部１１２は、不定字数Ｃｕが不定字数閾値Ｃｔ未満であるか否かを判定する。ここで肯定結果が得られると、このことは不定字数判定が正常であったため次の不定文字数判定に進むことを表し、このとき制御部１１２はステップＳＰ１０７へ移る。
【０１６７】
ステップＳＰ１０７において制御部１１２は、不定文字数Ｃｌｕが不定文字数閾値Ｃｌｔ未満である否かを判定する。ここで肯定結果が得られると、このことは不定文字数判定が正常であったため次の不定数字数判定に進むことを表し、このとき制御部１１２はステップＳＰ１０８へ移る。
【０１６８】
ステップＳＰ１０８において制御部１１２は、不定数字数Ｃｎｕが不定数字数閾値Ｃｎｔ未満である否かを判定する。
【０１６９】
ステップＳＰ１０８において肯定結果が得られると、このことは紙幣が出金可能紙幣であることを表し、このとき制御部１１２はステップＳＰ１０９へ移る。
【０１７０】
一方ステップＳＰ１０５、ＳＰ１０６、ＳＰ１０７又はＳＰ１０８において否定結果が得られると、このことは紙幣が出金不可紙幣であったことを表し、このとき制御部１１２はステップＳＰ１１０へ移る。
【０１７１】
ステップＳＰ１０９において制御部１１２は、図１４に示すようにセレクタ２２をルートＲ５へ切り替え、紙幣を鑑別部１８から紙幣入出金部１６へ搬送してステップＳＰ１１１へ移り、出金処理手順ＲＴ１２を終了する。
【０１７２】
一方ステップＳＰ１１０において制御部１１２は、図１４に示すようにセレクタ２２をルートＲ６へ切り替え、紙幣を鑑別部１８から一時保留部２０へ搬送してステップＳＰ１１１へ移り、出金処理手順ＲＴ１２を終了する。
【０１７３】
このように紙幣入出金機１１０は、リサイクル庫２６に収納された紙幣の鑑別結果が正常であったとき、識別結果における不定字数Ｃｕが不定字数閾値Ｃｔ未満であり、且つ不定文字数Ｃｌｕが不定文字数閾値Ｃｌｔ未満であり、且つ不定数字数Ｃｎｕが不定数字数閾値Ｃｎｔ未満であった場合は記番号が識別可能な紙幣とする。
【０１７４】
一方紙幣入出金機１１０は、リサイクル庫２６に収納された紙幣の鑑別結果が正常であっても、識別結果における不定字数Ｃｕが不定字数閾値Ｃｔ以上か、不定文字数Ｃｌｕが不定文字数閾値Ｃｌｔ以上か、不定数字数Ｃｎｕが不定数字数閾値Ｃｎｔ以上であった場合は記番号が識別不可な紙幣とする。
【０１７５】
このとき紙幣入出金機１１０は、記番号の識別の可否に基づいて紙幣の搬送先を変更し、記番号が識別可能であった紙幣を出金可能紙幣として紙幣入出金部１６へ搬送して利用者へ受け渡す一方、記番号が識別不可であった紙幣を出金不可紙幣として一時保留部２０へ搬送する。
【０１７６】
［２−５．効果］
以上の構成において、現金自動取引装置１０１は、記番号の識別の可否に基づいて紙幣の搬送先を変更し、不定字数Ｃｕが不定字数閾値Ｃｔ未満であり、且つ不定文字数Ｃｌｕが不定文字数閾値Ｃｌｔ未満であり、且つ不定数字数Ｃｎｕが不定数字数閾値Ｃｎｔ未満であったため記番号を識別できた識別可能紙幣と、不定字数Ｃｕが不定字数閾値Ｃｔ以上か、又は不定文字数Ｃｌｕが不定文字数閾値Ｃｌｔ以上か、又は不定数字数Ｃｎｕが不定数字数閾値Ｃｎｔ以上であったため記番号を識別できなかった識別不可紙幣とを分別するようにした。
【０１７７】
これにより現金自動取引装置１０１は、文字部ＬＥＴと数字部ＮＵＭとの識別精度の違いや、文字部ＬＥＴと数字部ＮＵＭのそれぞれで要求される記番号識別結果の信頼性に応じて搬送先を切り替えることができる。
【０１７８】
［３．他の実施の形態］
なお上述した実施の形態においては、入金設定処理、収納設定処理及び出金設定処理のそれぞれにおいて、第１の実施の形態においては不定字数閾値Ｃｔを、第２の実施の形態においては不定字数閾値Ｃｔ、不定文字数閾値Ｃｌｔ及び不定数字数閾値Ｃｎｔを設定する場合について述べた。
【０１７９】
本発明はこれに限らず、第１の実施の形態においては入金設定処理において設定された不定字数閾値Ｃｔを、第２の実施の形態においては入金設定処理において設定された不定字数閾値Ｃｔ、不定文字数閾値Ｃｌｔ及び不定数字数閾値Ｃｎｔを、収納設定処理及び出金設定処理において使用しても良い。
【０１８０】
また、例えば入金設定処理時における不定字数閾値Ｃｔを収納設定処理時及び出金設定処理時よりも厳しくする、入金設定処理時及び出金設定処理時における不定字数閾値Ｃｔを収納設定処理時よりも厳しくする、又は入金設定処理時における不定字数閾値Ｃｔを出金設定処理時よりも厳しくする等、処理毎に応じて閾値の厳しさを設定しても良い。
【０１８１】
また上述した第２の実施の形態においては、不定字数判定及び不定文字数判定の両方において正常と判定された場合のみ、識別可能紙幣として扱う場合について述べた。本発明はこれに限らず、不定字数判定又は不定文字数判定のいずれか一方において正常と判定された場合に識別可能紙幣として扱っても良い。
【０１８２】
さらに上述した実施の形態においては、文字部ＬＥＴがアルファベットにより構成される場合について述べたが、本発明はこれに限らず、地域毎の紙幣に応じた文字であって良い。
【０１８３】
さらに上述した実施の形態においては、識別字としての記番号ＩＤが、複数の文字からなる文字部ＬＥＴと、複数の数字からなる数字部ＮＵＭとにより構成される場合について述べたが、本発明はこれに限らず、文字部ＬＥＴ又は数字部ＮＵＭのいずれか一方のみにより構成されても良い。
【０１８４】
さらに上述した実施の形態においては、記番号において識別できなかった字数を計数する場合について述べたが、本発明はこれに限らず、記番号の字の色が識別できなかった字数を計数しても良い。
【０１８５】
また上述した実施の形態における収納処理時においては、鑑別部１８において鑑別処理を行わず、入金処理時に鑑別した鑑別結果を流用しても良い。
【０１８６】
さらに第２の実施の形態による現金自動取引装置１０１においても、第１の実施の形態による現金自動取引装置１と同様に、識別結果搬送先設定機能を有効にするか否かを設定するようにしても良い。
【０１８７】
さらに上述した実施の形態においては、制御部１２により入金設定処理手順ＲＴ１及びＲＴ７、収納設定処理手順ＲＴ３及びＲＴ９、並びに出金設定処理手順ＲＴ５及びＲＴ１１、入金処理手順ＲＴ２及びＲＴ８、収納処理手順ＲＴ４及びＲＴ１０、並びに出金処理手順ＲＴ６及びＲＴ１２をそれぞれ実行する場合について述べた。
【０１８８】
本発明はこれに限らず、例えば主制御部９により、或いは主制御部９と制御部１２及び１１２との協働により、入金設定処理手順ＲＴ１及びＲＴ７、収納設定処理手順ＲＴ３及びＲＴ９、出金設定処理手順ＲＴ５及びＲＴ１１、入金処理手順ＲＴ２及びＲＴ８、収納処理手順ＲＴ４及びＲＴ１０、並びに出金処理手順ＲＴ６及びＲＴ１２を実行しても良い。
【０１８９】
さらに上述した実施の形態においては、各種閾値を、操作表示部６から主制御部９へ通知し当該主制御部９から制御部１２を介し鑑別部１８へ通知したが、本発明はこれに限らず、主制御部９から直接鑑別部１８へ通知しても良い。
【０１９０】
さらに上述した実施の形態においては、記憶部１４に予め記憶させておいた入金設定処理プログラム、収納設定処理プログラム及び出金設定処理プログラム、入金処理プログラム、収納処理プログラム及び出金処理プログラムを読み出して実行する場合について述べた。
【０１９１】
本発明はこれに限らず、例えばＵＳＢ（Universal Serial Bus）等のインタフェースやＩＥＥＥ(Institute of Electrical and Electronics Engineers)８０２．３ａｂ等のネットワーク、或いはＣＤ−ＲＯＭ（Compact
Disc-Read Only Memory）等の外部記憶媒体を介して、外部から入金設定処理プログラム、収納設定処理プログラム及び出金設定処理プログラム、入金処理プログラム、収納処理プログラム及び出金処理プログラムを取得して実行しても良い。
【０１９２】
さらに上述した実施の形態においては、現金を取引する現金自動取引装置１及び１０１において、媒体としての紙幣を内部で搬送し、鑑別部１８により鑑別して所定の搬送先に搬送する場合について述べた。
【０１９３】
本発明はこれに限らず、例えば商品券や金券、入場券等のような薄い紙状の媒体を搬送し、その当該媒体を鑑別部１８により鑑別し所定の搬送先に搬送する種々の装置に適用しても良い。
【０１９４】
また、例えば紙幣を入出する紙幣入出金機や紙幣を所定枚数毎に施封する施封小束支払機等、紙幣や硬貨の取引に関する種々の処理を行う複数種類の装置の組み合わせにより構成された現金処理装置に本発明を適用してもよい。
【０１９５】
さらに上述した実施の形態においては、入金取引及び出金取引を行う現金自動取引装置に本発明を適用する場合について述べたが、入金取引のみを行う装置又は出金取引のみを行う装置に本発明を適用しても良い。
【０１９６】
さらに上述した実施の形態においては、媒体収容部としての紙幣入出金部１６と、鑑別部としての鑑別部１８と、制御部としての制御部１２又は１１２とによって、媒体処理装置としての紙幣入出金機１０又は１１０を構成する場合について述べた。
【０１９７】
本発明はこれに限らず、その他種々の構成でなる媒体収容部と、鑑別部と、制御部とによって媒体処理装置を構成しても良い。
【０１９８】
さらに上述した実施の形態においては、接客部としての接客部３と、媒体収容部としての紙幣入出金部１６と、鑑別部としての鑑別部１８と、制御部としての制御部１２又は１１２とによって、媒体取引装置としての現金自動取引装置１又は１０１を構成する場合について述べた。
【０１９９】
本発明はこれに限らず、その他種々の構成でなる接客部と、媒体収容部と、鑑別部と、制御部とによって媒体取引装置を構成しても良い。
【産業上の利用可能性】
【０２００】
本発明は、紙幣の記番号を判別し当該紙幣の搬送先を設定する種々の装置でも利用できる。
【符号の説明】
【０２０１】
１、１０１……現金自動取引装置、２……筐体、３……接客部、４……カード入出口、５……入出金口、６……操作表示部、７……テンキー、８……レシート発行口、９……主制御部、１０、１１０……紙幣入出金機、１２、１１２……制御部、１４……記憶部、１６……紙幣入出金部、１８……鑑別部、２０……一時保留部、２２……セレクタ、２４……搬送部、２６……リサイクル庫、２８……入金庫、ＩＤ……記番号、ＬＥＴ……文字部、ＮＵＭ……数字部、Ｃｕ……不定字数、Ｃｌｕ……不定文字数、Ｃｎｕ……不定数字数、Ｃｔ……不定字数閾値、Ｃｌｔ……不定文字数閾値、Ｃｎｔ……不定数字数閾値。
【図１】
2014197273.tif 000003
【図２】
2014197273.tif 000004
【図３】
2014197273.tif 000005
【図４】
2014197273.tif 000006
【図５】
2014197273.tif 000007
【図６】
2014197273.tif 000008
【図７】
2014197273.tif 000009
【図８】
2014197273.tif 000010
【図９】
2014197273.tif 000011
【図１０】
2014197273.tif 000012
【図１１】
2014197273.tif 000013
【図１２】
2014197273.tif 000014
【図１３】
2014197273.tif 000015
【図１４】
2014197273.tif 000016
【図１５】
2014197273.tif 000017
【図１６】
2014197273.tif 000018
【図１７】
2014197273.tif 000019
【図１８】
2014197273.tif 000020
【図１９】
2014197273.tif 000021
【図２０】
2014197273.tif 000022